(57)【特許請求の範囲】
【請求項１】
交流スイッチのスイッチング動作により交流電力を直流電力に変換する整流器と、この整流器から出力された直流電力を交流電力に変換するインバータと、を備えた電力変換装置において、
前記整流器を構成し、かつ、その電流流出側電極が前記インバータの直流部負極側に接続されている全ての半導体スイッチング素子と、前記インバータを構成し、かつ、その電流流出側電極が前記直流部負極側に接続されている全ての半導体スイッチング素子とを、共通の絶縁電源を用いて駆動することを特徴とする電力変換装置。
【請求項２】
請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、互いに逆並列接続された第１，第２の半導体スイッチング素子を備えると共に、第２の交流スイッチは、互いに逆並列接続された第３，第４の半導体スイッチング素子を備え、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動することを特徴とする電力変換装置。
【請求項３】
請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、第１の半導体スイッチング素子と第１のダイオードとの順方向直列接続回路と、第２の半導体スイッチング素子と第２のダイオードとの順方向直列回路と、を逆並列接続して構成し、
第２の交流スイッチは、第３の半導体スイッチング素子と第３のダイオードとの順方向直列接続回路と、第４半導体スイッチング素子と第４のダイオードとの順方向直列回路と、を逆並列接続して構成し、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動することを特徴とする電力変換装置。
【請求項４】
請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、第１の半導体スイッチング素子と第１のダイオードとの逆並列回路と、第２の半導体スイッチング素子と第２のダイオードとの逆並列回路と、を備え、かつ、第１，第２のダイオードのカソード同士を接続して構成し、
第２の交流スイッチは、第３の半導体スイッチング素子と第３のダイオードとの逆並列回路と、第４の半導体スイッチング素子と第４のダイオードとの逆並列回路と、を備え、かつ、第３，第４のダイオードのカソード同士を直列接続して構成し、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動することを特徴とする電力変換装置。
【発明の詳細な説明】
【技術分野】
【０００１】
本発明は、交流スイッチのスイッチング動作により交流電力を直流電力に変換する整流器と、前記直流電力を交流電力に変換するインバータと、からなる電力変換装置に関し、特に半導体スイッチング素子の駆動用電源の接続構成に特徴を有する電力変換装置に関する。
【背景技術】
【０００２】
図４は、ダイオード整流器１５０及びインバータ１７０を備えた電力変換装置を示している。１６０は、インバータ１７０の直流部に接続された電解コンデンサである。
この電力変換装置は、三相交流電源２００の交流電力をダイオード整流器１５０により直流電力に変換し、この直流電力をインバータ１７０により任意の振幅、周波数の交流電力に変換することができ、安価かつ小型であるため、電動機等の負荷３００の電源として広く用いられている。しかし、ダイオード整流器１５０を用いるため、電力の回生を行うことができないと共に、直流部に大型の電解コンデンサ６０を必要とするため、その体積を無視できないという問題がある。
【０００３】
図５は、交流スイッチを用いたＰＷＭ整流器１８０とＰＷＭインバータ１９０とからなる電力変換装置を示している。
この種の技術は非特許文献１に開示されており、電力の回生が可能であるだけでなく、直流部にコンデンサ等のエネルギーバッファを必要としないため、装置を小型化することができる。
【０００４】
ＰＷＭ整流器１８０に用いられる交流スイッチ１００は、２個の逆阻止能力を有する単方向半導体スイッチング素子１０１，１０２から構成されており、入力電流波形を制御できるだけでなく、電力の回生も可能としている。
各スイッチング素子１０１，１０２は負荷端の開放を防止するために電源電圧や直流電流ｉｄｃの極性に応じて独立に制御する必要があるので、各スイッチング素子ごとに駆動ユニット１１０を設ける必要がある。なお、図５に示すように、インバータ１９０を構成する複数の半導体スイッチング素子１０３についても、同一構成の駆動ユニット１１０によって個々に駆動するように構成されている。
【０００５】
上記駆動ユニット１１０は、図示されていない制御装置からのＰＷＭ指令を基に半導体スイッチング素子を駆動する駆動回路１１１と、この駆動回路用の絶縁電源１１２とから構成されている。６個の交流スイッチ１００を用いたＰＷＭ整流器１８０には計１２個の単方向半導体スイッチング素子があるため、同数の駆動ユニット１１０が必要となる。
同様に、ＰＷＭインバータ１９０は６個の半導体スイッチング素子１０３から構成されるため、同数の駆動ユニット１１０が必要となり、装置全体では１８個の駆動ユニット１１０が必要となる。
【０００６】
一方、絶縁電源の数を減少させて回路構成の簡略化、低コスト化を図った交流直接変換装置が、特許文献１に記載されている。
この従来技術は、例えば、交流入力相と交流出力相との間にそれぞれ接続される複数の交流スイッチ回路が互いに逆並列接続された第１，第２の半導体スイッチング素子を備え、複数の第１の半導体スイッチング素子の電流流出側電極を同一の交流入力相に接続すると共に、当該交流入力相の電位を基準電位とする第１の共通電源を用いて複数の第１の半導体スイッチング素子を駆動し、かつ、複数の第２の半導体スイッチング素子の電流流出側電極を同一の交流出力相に接続すると共に、当該交流出力相の電位を基準電位とする第２の共通電源を用いて複数の第２の半導体スイッチング素子を駆動するように構成されている。
【０００７】
【非特許文献１】樽見  治，飯盛  憲一，篠原  勝次，「 平滑回路なし電圧形インバータのコンバータ部制御時の特性」，平成８年電気学会産業応用部門全国大会論文集，Ｔ−２３
【特許文献１】特開２００４−７２８８６号公報（［００１３］〜［００２３］、図１等）
【発明の開示】
【発明が解決しようとする課題】
【０００８】
特許文献１に記載された従来技術によれば、直接変換装置の入出力が３相である場合に、基準電位として独立電位を有する電源の個数を従来の９個から６個に減少させることが可能である。
しかし、特許文献１はあくまでマトリクスコンバータ等の１台の交流直接変換装置を対象として、この変換装置を構成する半導体スイッチング素子の駆動用電源の数を削減するためになされたものであり、非特許文献１に記載されている如く、交流スイッチを有する整流器とインバータという２台の変換器を組み合わせてなる電力変換装置にそのまま適用できるものではない。
【０００９】
そこで本発明の解決課題は、整流器とインバータという異種の２台の変換器を有する電力変換装置において、両変換器にわたって駆動ユニットの絶縁電源を一部共通化することにより、装置全体で必要な絶縁電源の個数を減少させて小型化、低コスト化を図った電力変換装置を提供することにある。
【課題を解決するための手段】
【００１０】
上記課題を解決するため、請求項１に記載した発明は、交流スイッチのスイッチング動作により交流電力を直流電力に変換する整流器と、この整流器から出力された直流電力を交流電力に変換するインバータと、を備えた電力変換装置において、
前記整流器を構成し、かつ、その電流流出側電極が前記インバータの直流部負極側に接続されている全ての半導体スイッチング素子と、前記インバータを構成し、かつ、その電流流出側電極が前記直流部負極側に接続されている全ての半導体スイッチング素子とを、共通の絶縁電源を用いて駆動するものである。
【００１１】
請求項２に記載した発明は、請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、互いに逆並列接続された第１，第２の半導体スイッチング素子を備えると共に、第２の交流スイッチは、互いに逆並列接続された第３，第４の半導体スイッチング素子を備え、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動するものである。
【００１２】
請求項３に記載した発明は、請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、第１の半導体スイッチング素子と第１のダイオードとの順方向直列接続回路と、第２の半導体スイッチング素子と第２のダイオードとの順方向直列回路と、を逆並列接続して構成し、
第２の交流スイッチは、第３の半導体スイッチング素子と第３のダイオードとの順方向直列接続回路と、第４半導体スイッチング素子と第４のダイオードとの順方向直列回路と、を逆並列接続して構成し、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動するものである。
【００１３】
請求項４に記載した発明は、請求項１に記載した電力変換装置において、
前記整流器は、交流入力相と直流部正極との間にそれぞれ接続される複数の第１の交流スイッチと、交流入力相と直流部負極との間にそれぞれ接続される複数の第２の交流スイッチと、を備え、
第１の交流スイッチは、第１の半導体スイッチング素子と第１のダイオードとの逆並列回路と、第２の半導体スイッチング素子と第２のダイオードとの逆並列回路と、を備え、かつ、第１，第２のダイオードのカソード同士を接続して構成し、
第２の交流スイッチは、第３の半導体スイッチング素子と第３のダイオードとの逆並列回路と、第４の半導体スイッチング素子と第４のダイオードとの逆並列回路と、を備え、かつ、第３，第４のダイオードのカソード同士を直列接続して構成し、
複数の第１の半導体スイッチング素子の電流流出側電極を前記直流部正極側に接続して前記直流部正極側の電位を基準電位とする第１の絶縁電源により前記複数の第１のスイッチング素子を駆動し、かつ、複数の第４の半導体スイッチング素子の電流流出側電極を前記直流部負極側に接続して前記直流部負極側の電位を基準電位とする第２の絶縁電源により前記複数の第４のスイッチング素子を駆動し、更に、第２，第３の半導体スイッチング素子の電流流出側電極を同一の交流入力相に接続して当該交流入力相の電位を基準電位とする第３の絶縁電源により第２，第３の半導体スイッチング素子を駆動するものである。
【発明の効果】
【００１４】
本発明によれば、交流スイッチを有する整流器とインバータとからなる電力変換装置において、前記交流スイッチを単方向半導体スイッチング素子によって構成する際に、各スイッチング素子の電流流出側電極を交流入力相、直流部正極側または直流部負極側に接続することにより、整流器の内部や、整流器とインバータとの双方にわたり、複数のスイッチング素子を駆動するための絶縁電源を共通化することができる。これにより、絶縁電源の個数を減少させて装置全体の小型化、低コスト化を図ることができる。
特に、本発明を、整流器及びインバータを同一ケース内に収納してなる電力変換装置に適用すれば、一層効果的である。
【発明を実施するための最良の形態】
【００１５】
以下、図に沿って本発明の実施形態を説明する。
まず、図１は本発明の第１実施形態を示しており、請求項２に係る発明に相当する。なお、請求項１に係る発明は請求項２以下の発明を包括した発明であって以下の各実施形態により具現化されており、後述するように、整流器を構成する一部の半導体スイッチング素子とインバータを構成する一部の半導体スイッチング素子との双方にわたって駆動用の絶縁電源を共通化する着想に基づいている。
【００１６】
図１において、この実施形態の電力変換装置は、図５と同様に交流スイッチを用いたＰＷＭ整流器１ＡとＰＷＭインバータ２とから構成されており、三相交流電源２００側のＲ，Ｓ，Ｔ相端子と負荷３００側のＵ，Ｖ，Ｗ相端子との間に接続されている。
なお、ＰＷＭインバータ２の構成は実質的に図５と同様であって構成要素の符号のみが異なっており、２０ＵＰ，２０ＵＮ，２０ＶＰ，２０ＶＮ，２０ＷＰ，２０ＷＮは半導体スイッチング素子、８０は駆動ユニット、８１は駆動回路、８２は絶縁電源である。
【００１７】
一方、図１のＰＷＭ整流器１Ａにおいて、１０ＲＰ，１０ＲＮ，１０ＳＰ，１０ＳＮ，１０ＴＰ，１０ＴＮは何れも同一構成の交流スイッチであり、ＩＧＢＴなどの単方向半導体スイッチング素子１１，１２（上アーム）、１３，１４（下アーム）をそれぞれ逆並列に接続して構成されている。
ここで、交流スイッチ１０ＲＰ，１０ＳＰ，１０ＴＰを第１の交流スイッチといい、交流スイッチ１０ＲＮ，１０ＳＮ，１０ＴＮを第２の交流スイッチというものとする。また、半導体スイッチング素子１１〜１４をそれぞれ第１〜第４の半導体スイッチング素子というものとする。
【００１８】
上記スイッチング素子１１，１２，１３，１４の駆動ユニットの基準電位は、駆動する素子のエミッタ電位と等しくする必要がある。よって、エミッタが他の素子のエミッタと共通接続されている素子については、それぞれの駆動ユニットの基準電位が等しくなるので、この基準電位を有する共通の絶縁電源を各駆動回路の電源として使用することができる。
【００１９】
例えば、図１においては、交流スイッチ１０ＲＰ，１０ＳＰ，１０ＴＰ内の半導体スイッチング素子１１，１１，１１は何れもエミッタ同士が接続されていて電位が等しいので、これら３個のスイッチング素子１１，１１，１１を１つの駆動ユニット６０によって駆動することが可能である。駆動ユニット６０は、駆動回路６１，６２，６３及び第１の絶縁電源６４から構成されており、端子Ｐには、外部の制御回路からＰＷＭ信号が入力される。
【００２０】
すなわち、駆動ユニット６０内の駆動回路６１，６２，６３は、それぞれ交流スイッチ１０ＲＰ内のスイッチング素子１１、交流スイッチ１０ＳＰ内のスイッチング素子１１、交流スイッチ１０ＴＰ内のスイッチング素子１１を駆動し、これらの駆動回路６１，６２，６３に３素子共通のエミッタを接続して基準電位とする。また、これらのエミッタは絶縁電源６４にも接続されており、絶縁電源６４から各駆動回路６１，６２，６３へ電源が供給される。なお、駆動回路６１，６２，６３にはスイッチング素子１１，１１，１１のゲートもそれぞれ接続されている。
この結果、図５に示した従来技術では各駆動回路に個別の絶縁電源が必要であったのに対し、本実施形態では絶縁電源６４を共通化してその個数を削減できるため、駆動ユニットの小型化、装置のコスト低減が可能となる。
【００２１】
同様にして、交流スイッチ１０ＲＮ，１０ＳＮ，１０ＴＮ内のスイッチング素子１４，１４，１４はそれぞれエミッタ電位が等しいため、駆動ユニット９０内の第２の絶縁電源９７を共通化して各駆動回路９１，９２，９３に電源を供給し、各スイッチング素子１４，１４，１４を駆動することができる。
また、交流スイッチ１０ＲＰ内のスイッチング素子１２と交流スイッチ１０ＲＮ内のスイッチング素子１３、交流スイッチ１０ＳＰ内のスイッチング素子１２と交流スイッチ１０ＳＮ内のスイッチング素子１３、交流スイッチ１０ＴＰ内のスイッチング素子１２と交流スイッチ１０ＴＮ内のスイッチング素子１３についても、それぞれエミッタ電位が等しいため、駆動ユニット７０内の第３の絶縁電源７３を共通化して各駆動回路７２，７１に電源を供給し、各スイッチング素子を駆動することができる。
【００２２】
一方、ＰＷＭインバータ２側については、下アームのスイッチング素子２０ＵＮ，２０ＶＮ，２０ＷＮのエミッタ電位が等しいため、駆動ユニット９０内の第２の絶縁電源９７を共通化して駆動回路９４，９５，９６に電源を供給することができる。
このため、ＰＷＭ整流器１Ａの下アームの交流スイッチ１０ＲＮ，１０ＳＮ，１０Ｔ内のスイッチング素子１４，１４，１４と、ＰＷＭインバータ２の下アームのスイッチング素子２０ＵＮ，２０ＶＮ，２０ＷＮについては、同一の絶縁電源９７によって駆動することが可能になる。
【００２３】
以上より、図５の従来技術では、駆動回路ごとに個別の絶縁電源が必要なため装置全体で計１８個の絶縁電源が必要であるのに対し、本実施形態によれば、装置全体で絶縁電源を８個に減少させることができ（第１，第２の絶縁電源６４，９７がそれぞれ１個、第３の絶縁電源７３が３個、インバータ２側の絶縁電源８２が３個）、コストの低減や装置の小型化が可能になる。
【００２４】
次に、図２は本発明の第２実施形態を示す構成図であり、請求項３に係る発明に相当する
図２に示すＰＷＭ整流器１Ｂにおいて、上アームの３０ＲＰ，３０ＳＰ，３０ＴＰは何れも同一構成の交流スイッチであり、これらの交流スイッチ３０ＲＰ，３０ＳＰ，３０ＴＰはＩＧＢＴなどの単方向半導体スイッチング素子１１，１２とダイオード１５，１６とから構成されている。すなわち、スイッチング素子１１のコレクタをダイオード１５のカソードに接続し、ダイオード１５のアノードをスイッチング素子１２のエミッタに接続すると共に、スイッチング素子１２のコレクタをダイオード１６のカソードに接続し、更に、ダイオード１６のアノードをスイッチング素子１１のエミッタに接続した構成となっている。
また、下アームの交流スイッチ３０ＲＮ，３０ＳＮ，３０ＴＮについても、単方向半導体スイッチング素子１３，１４及びダイオード１７，１８により、上記交流スイッチ３０ＲＰ，３０ＳＰ，３０ＴＰと全く同一に構成されている。
ここで、ダイオード１５〜１８をそれぞれ第１〜第４のダイオードというものとする。
【００２５】
この実施形態においても、交流スイッチ３０ＲＰ，３０ＳＰ，３０ＴＰ内のスイッチング素子１１，１１，１１、交流スイッチ３０ＲＮ，３０ＳＮ，３０ＴＮ内のスイッチング素子１４，１４，１４、交流スイッチ３０ＲＰ内のスイッチング素子１２と交流スイッチ３０ＲＮ内のスイッチング素子１３、交流スイッチ３０ＳＰ内のスイッチング素子１２と交流スイッチ３０ＳＮ内のスイッチング素子１３、交流スイッチ３０ＴＰ内のスイッチング素子１２と交流スイッチ３０ＴＮ内のスイッチング素子１３というように、計５組のスイッチング素子のエミッタ電位がそれぞれ等しくなるため、図２のように各駆動回路６１，６２，６３、７１，７２、９１，９２，９３に対し絶縁電源６４，７３，９７を共通化して用いることができる。
なお、ＰＷＭインバータ２側については第１実施形態と同様であり、下アームのスイッチング素子２０ＵＮ，２０ＶＮ，２０ＷＮの駆動回路９４，９５，９６に対して、上記駆動回路９１，９２，９３と共通の絶縁電源９７を用いることができる。
【００２６】
この結果、第１実施形態と同様に、装置全体として従来技術では１８個必要だった絶縁電源を８個に減らすことができる。
【００２７】
次いで、図３は本発明の第３実施形態を示す構成図である。
この実施形態に係るＰＷＭ整流器１Ｃでは、上アームの交流スイッチ４０ＲＰ，４０ＳＰ，４０ＴＰが、何れも、ＩＧＢＴなどの単方向半導体スイッチング素子１１，１２を逆方向に直列接続し、各スイッチング素子１１，１２に対してそれぞれダイオード１６，１５を逆並列に接続して構成されている。
また、下アームの交流スイッチ４０ＲＮ，４０ＳＮ，４０ＴＮについても、単方向半導体スイッチング素子１３，１４及びダイオード１７，１８により、上記交流スイッチ４０ＲＰ，４０ＳＰ，４０ＴＰと全く同一に構成されている。
なお、この実施形態では、便宜的に、ダイオード１６を第１のダイオード，同１５を第２のダイオード、同１７を第３のダイオード，同１８を第４のダイオードというものとする。
【００２８】
本実施形態においても、第１，第２実施形態と同様に、交流スイッチ４０ＲＰ，４０ＳＰ，４０ＴＰ内のスイッチング素子１１，１１，１１、交流スイッチ４０ＲＮ，４０ＳＮ，４０ＴＮ内のスイッチング素子１４，１４，１４、交流スイッチ４０ＲＰ内のスイッチング素子１２と交流スイッチ４０ＲＮ内のスイッチング素子１３、交流スイッチ４０ＳＰ内のスイッチング素子１２と交流スイッチ４０ＳＮ内のスイッチング素子１３、交流スイッチ４０ＴＰ内のスイッチング素子１２と交流スイッチ４０ＴＮ内のスイッチング素子１３というように、計５組のスイッチング素子のエミッタ電位がそれぞれ等しくなるため、各駆動回路６１，６２，６３、７１，７２、９１，９２，９３に対し絶縁電源６４，７３，９７を共通化して用いることができる。
また、ＰＷＭインバータ２側も第１，第２実施形態と同様であり、下アームのスイッチング素子２０ＵＮ，２０ＶＮ，２０ＷＮの駆動回路９４，９５，９６に対して、上記駆動回路９１，９２，９３と共通の絶縁電源９７を用いることができる。
【００２９】
従って、第１，第２実施形態と同様に、装置全体として従来技術では１８個必要だった絶縁電源を８個に減らすことができる。
【００３０】
以上説明したように、各実施形態では、ＰＷＭ整流器とＰＷＭインバータという２台の変換器からなる電力変換装置において、ＰＷＭ整流器の内部や、ＰＷＭ整流器とＰＷＭインバータとの双方にわたり、エミッタ電位が等しい複数のスイッチング素子の駆動回路に対する絶縁電源を共通化しているため、絶縁電源の個数の減少により一部の駆動ユニットの構成の簡略化、装置全体の小型化、低コスト化を達成することができる。
【図面の簡単な説明】
【００３１】
【図１】本発明の第１実施形態を示す構成図である。
【図２】本発明の第２実施形態を示す構成図である。
【図３】本発明の第３実施形態を示す構成図である。
【図４】従来技術を示す構成図である。
【図５】他の従来技術を示す構成図である。
【符号の説明】
【００３２】
１Ａ，１Ｂ，１Ｃ：ＰＷＭ整流器
２：ＰＷＭインバータ
１０ＲＰ，１０ＲＮ，１０ＳＰ，１０ＳＮ，１０ＴＰ，１０ＴＮ，３０ＲＰ，３０ＲＮ，３０ＳＰ，３０ＳＮ，３０ＴＰ，３０ＴＮ，４０ＲＰ，４０ＲＮ，４０ＳＰ，４０ＳＮ，４０ＴＰ，４０ＴＮ：交流スイッチ
１１，１２，１３，１４：単方向半導体スイッチング素子
１５，１６，１７，１８：ダイオード
２０ＵＰ，２０ＵＮ，２０ＶＰ，２０ＶＮ，２０ＷＰ，２０ＷＮ：半導体スイッチング素子
６０，７０，８０，９０：駆動ユニット
６１，６２，６３，７１，７２，８１，９１，９２，９３，９４，９５，９６：駆動回路
６４，７３，８２，９７：絶縁電源
２００：三相交流電源
３００：負荷
【図１】
0004788894.tif 000002
【図２】
0004788894.tif 000003
【図３】
0004788894.tif 000004
【図４】
0004788894.tif 000005
【図５】
0004788894.tif 000006